(57)【要約】      （修正有）【課題】街路灯１機あたりの光源の数を最小限として、小型軽量化を図るとともにコストも低減し、一方で広範囲を十分に照射できるレンズおよび照明装置を提供する。【解決手段】光の入射側となる入射面１１と、光の出射側となる出射面１２と有する照明用のレンズ１０であって、入射面１１の平面視におけるレンズ１０の外形状は、直交する２つの中心線の長さが異なる形状であり、出射面１２は、光の出射方向に突出する凸曲面を有し、入射面１１は、レンズ１０の長軸方向の両端に設けられて平坦面を含む島状部１５と、該島状部１５の間に設けられて島状部１５よりも前記出射面方向に掘り込まれた窪み部１６とを有し、窪み部１６は、レンズ１０の短軸方向に沿う断面形状においては入射面１１側に突出する凸曲面を有し、前記長軸方向に沿う断面形状においては入射面１１側から陥没する凹曲面を有するように構成されるとともに、前記長軸方向の中心線に対して非対称な形状である。【選択図】図２
0003211049.tif 000002
【実用新案登録請求の範囲】
【請求項１】
光の入射側となる入射面と、前記光の出射側となる出射面と有する照明用のレンズであって、
前記入射面の平面視におけるレンズの外形状は、直交する２つの中心線の長さが異なる形状であり、
前記出射面は、前記光の出射方向に突出する凸曲面を有し、
前記入射面は、レンズの長軸方向の両端に設けられて平坦面を含む島状部と、該島状部の間に設けられて該島状部よりも前記出射面方向に掘り込まれた窪み部とを有し、
前記窪み部は、レンズの短軸方向に沿う断面形状においては前記入射面側に突出する凸曲面を有し、前記長軸方向に沿う断面形状においては前記入射面側から陥没する凹曲面を有するように構成されるとともに、前記長軸方向の中心線に対して非対称な形状である、
ことを特徴とするレンズ。
【請求項２】
対向する前記島状部は、前記長軸方向および前記短軸方向のいずれにおいても中央付近で最も近接し、周辺に向かって漸次離間するように構成される、
ことを特徴とする請求項１に記載のレンズ。
【請求項３】
前記入射面の平面視におけるそれぞれの前記島状部の形状は、前記長軸方向の中心線からずれた位置に一つの頂点を有する略山形状である、
ことを特徴とする請求項１または請求項２に記載のレンズ。
【請求項４】
外周に鍔部を有し、
前記窪み部は、前記短軸方向における一端側が前記鍔部よりも前記出射面方向に掘り込まれ、前記短軸方向における他端側が前記鍔部よりも突出するように構成される、
ことを特徴とする請求項１乃至請求項３のいずれか一項に記載のレンズ。
【請求項５】
請求項１乃至請求項４のいずれか一項に記載のレンズと、
光源が実装される光源ユニットと、
前記光源ユニットを収容する筐体と、を有する、
ことを特徴とする照明装置。
【請求項６】
前記光源は、前記窪み部に対向する位置に取り付けられる、
ことを特徴とする請求項５に記載の照明装置。
【請求項７】
前記窪み部の形状は、前記短軸方向の一端側が他端側よりも幅広に構成され、
前記他端側が前記筐体の支持部材に近くなるように前記レンズが取り付けられる、
ことを特徴とする請求項５または請求項６に記載の照明装置。
【請求項８】
前記光源ユニットの裏面側に一端が接触する帯状の受放熱部材を有し、
該受放熱部材は、前記筐体の内部側壁の一部に接触させて取り付けられる、
ことを特徴とする請求項５乃至請求項７のいずれか一項に記載の照明装置。
【請求項９】
前記光源ユニットは、街路に光を照射するものであり、
前記受放熱部材は上方側となる内部側壁に取り付けられる、
ことを特徴とする請求項８に記載の照明装置。
【考案の詳細な説明】
【技術分野】
【０００１】
本考案は、レンズおよび照明装置に関する。
【背景技術】
【０００２】
ＬＥＤ光源素子等を利用した照明装置は、軽量で衝撃に強く長寿命であることから、現在、住宅や工場の屋内用の照明に限らず、街路灯（防犯灯）など屋外用の光源としての利用も、進んでいる。
【０００３】
この種の照明装置は、使用環境によって防水機能が求められる。例えば養鶏場では、天井や内壁を定期的に水で洗浄しなければならない。従来の照明装置の防水機能は、ＬＥＤ光源素子が載置される基板全体を、気密性の高い筐体内に収容することで実現している（例えば特許文献１参照）。
【０００４】
ＬＥＤは、低消費電力で強い光量を得ることができるが、点光源で指向性が強いため、広範囲に光を照射するには、複数個のＬＥＤを一列、あるいはマトリクス状に並べて使用されることが多い。
【先行技術文献】
【特許文献】
【０００５】
【特許文献１】特開２００６−１３４７９７号公報
【特許文献２】特開２０１４−５１３１２号公報
【考案の概要】
【考案が解決しようとする課題】
【０００６】
しかしながら、屋外で街路灯（防犯灯）として使用する場合には、その数も多くなり、設置面積（照明装置のサイズ）も限られる。また、特に積雪の多い地方では、夜間はもとより、昼間でも街路灯が必要となる場合も多い。
【０００７】
このため、街路灯の１機あたりのＬＥＤの数は最小限（例えば、１個）としつつも、強い光をなるべく広範囲に拡散させることが望まれる。
【０００８】
すなわち、街路灯１機あたりの光源の数を最小限として、小型軽量化を図るとともにコストも低減し、一方で広範囲を十分に照射できる照明装置の要望が高まっているが、現状ではこれらの量産にも限界があった。
【課題を解決するための手段】
【０００９】
本考案は、係る課題に鑑みてなされたものである。
【００１０】
すなわち、本考案は、（１）光の入射側となる入射面と、前記光の出射側となる出射面と有する照明用のレンズであって、前記入射面の平面視におけるレンズの外形状は、直交する２つの中心線の長さが異なる形状であり、前記出射面は、前記光の出射方向に突出する凸曲面を有し、前記入射面は、レンズの長軸方向の両端に設けられて平坦面を含む島状部と、該島状部の間に設けられて該島状部よりも前記出射面方向に掘り込まれた窪み部とを有し、前記窪み部は、レンズの短軸方向に沿う断面形状においては前記入射面側に突出する凸曲面を有し、前記長軸方向に沿う断面形状においては前記入射面側から陥没する凹曲面を有するように構成されるとともに、前記長軸方向の中心線に対して非対称な形状である、ことを特徴とするレンズである。
【００１１】
（２）本考案はまた、対向する前記島状部は、前記長軸方向および前記短軸方向のいずれにおいても中央付近で最も近接し、周辺に向かって漸次離間するように構成される、ことを特徴とする上記（１）に記載のレンズである。
【００１２】
（３）本考案はまた、前記入射面の平面視におけるそれぞれの前記島状部の形状は、前記長軸方向の中心線からずれた位置に一つの頂点を有する略山形状である、ことを特徴とする上記（１）または（２）に記載のレンズである。
【００１３】
（４）本考案はまた、外周に鍔部を有し、前記窪み部は、前記短軸方向における一端側が前記鍔部よりも前記出射面方向に掘り込まれ、前記短軸方向における他端側が前記鍔部よりも突出するように構成される、ことを特徴とする上記（１）乃至（３）のいずれか一項に記載のレンズである。
【００１４】
（５）本考案はまた、上記（１）乃至（４）請求項４のいずれか一項に記載のレンズと、光源が実装される光源ユニットと、前記光源ユニットを収容する筐体と、を有する、ことを特徴とする照明装置である。
【００１５】
（６）本考案はまた、前記光源は、前記窪み部に対向する位置に取り付けられる、ことを特徴とする上記（５）に記載の照明装置である。
【００１６】
（７）本考案はまた、前記窪み部の形状は、前記短軸方向の一端側が他端側よりも幅広に構成され、前記他端側が前記筐体の支持部材に近くなるように前記レンズが取り付けられる、ことを特徴とする上記（５）または（６）に記載の照明装置である。
【００１７】
（８）本考案はまた、前記光源ユニットの裏面側に一端が接触する帯状の受放熱部材を有し、該受放熱部材は、前記筐体の内部側壁の一部に接触させて取り付けられる、ことを特徴とする上記（５）乃至（７）のいずれか一項に記載の照明装置である。
【００１８】
（９）本考案はまた、前記光源ユニットは、街路に光を照射するものであり、前記受放熱部材は上方側となる内部側壁に取り付けられる、ことを特徴とする上記（８）に記載の照明装置である。
【考案の効果】
【００１９】
本考案によれば、街路灯１機あたりの光源の数を最小限として、小型軽量化を図るとともにコストも低減し、一方で広範囲を十分に照射できる照明装置の照明装置を得ることが可能となる。
【図面の簡単な説明】
【００２０】
【図１】本考案の実施の形態に係る照明装置の（Ａ）正面図、（Ｂ）正面図、（Ｃ）右側面図である。
【図２】本考案の実施の形態に係るレンズを示す図であり、（Ａ）正面図、（Ｂ）平面図、（Ｃ）平面図、（Ｄ）右側面図、（Ｅ）同図（Ａ）の矢視斜視図である。
【図３】（Ａ）、（Ｂ）レンズの外観斜視図である。
【図４】（Ａ）レンズの裏側の正面図であり、（Ｂ）〜（Ｆ）レンズの断面図である。
【図５】（Ａ）レンズの裏側の正面図であり、（Ｂ）〜（Ｆ）レンズの断面図である。
【図６】本考案にかかる照明装置の使用状態を示す図である。
【図７】本考案にかかる照明装置における照度分布シミュレーションの結果である。
【図８】本考案にかかる照明装置における照度分布を示す図である。
【図９】本考案にかかる照明装置と既存の照明装置との比較実験の結果を示す図であり、（Ａ）測定位置の概要図であり、（Ｂ）測定結果である。
【考案を実施するための形態】
【００２１】
以下、図面を参照して、本考案の実施の形態に係る照明装置１を詳細に説明する。
【００２２】
図１は、照明装置１の外観を示す図であり、図１（Ａ）は照明装置１の正面図であり、同図（Ｂ）は、同図（Ａ）からレンズ１０を取り外した状態の正面図であり、同図（Ｃ）は右側面図である。
【００２３】
また、図２は、レンズ１０の外観を示す図であり、同図（Ａ）は正面図、同図（Ｂ）は同図（Ａ）を図示の上方から見た平面図（上面図）、同図（Ｃ）は同図（Ａ）を図示の下方から見た平面図（底面図）、同図（Ｄ）は右側面図、同図（Ｅ）は、同図（Ａ（の裏側から見た矢視斜視図である。
【００２４】
＜照明装置の全体構成＞
【００２５】
図１を参照して、本実施形態の照明装置１の全体構成について説明する。本実施形態の照明装置１は、屋内用または屋外用の照明装置など様々な用途に利用できるが、以下の説明においてはその一例として、街路灯（防犯灯）として利用される場合について説明する。
【００２６】
図１に示すように、照明装置１は、光源２が実装される光源ユニット５と、光源２を覆うレンズ１０と、光源ユニット５が収容される筐体６と、を有する。
【００２７】
光源ユニット５は、基板３に実装された光源２と、基板３の裏面に設けられた光源２の駆動電源４（同図（Ｃ）参照）と、基板３を筐体６に取り付ける取り付け枠（不図示）などにより構成される。
【００２８】
光源２は、一例として１つの発光ダイオード（light  emitting  diode：ＬＥＤ）である。図示は省略するが、基板３には、ＬＥＤ（チップ）のアノード電極及びカソード電極に電気的に接続される配線パターンが設けられ、この配線パターンは、駆動電源４に接続する。基板３は、ネジ止め又は接着等により取り付け枠（不図示）に固定される。
【００２９】
筐体６は、例えばステンレスなどの部材により構成され、一方が開口された略円筒形状であり、光源ユニット５を収容する。筐体６の開口部には光源カバー７が取り付けられ、また筐体６の外周壁は、筐体６を錆や傷から保護するとともに、筐体６内部への水分の浸入を抑制する保護カバー８で覆われる。光源カバー７は、光源ユニット５の一部を覆うとともに、中央に光源２が露出する開口部を有し、開口部には光源２を覆うようにレンズ１０が取り付けられる。駆動電源４に接続する配線２１は、筐体６および保護カバー８に設けられた配線口２２を介して照明装置１外に導出される。
【００３０】
また、同図（Ｃ）に示すように、筐体６の内側側壁の一部には、これと接触するように帯状の受放熱部材２０が配置されている。受放熱部材２０の一端は光源ユニット５の裏面側にと接触している。受放熱部材２０については、後に詳述する。
【００３１】
筐体６の外壁には、照明装置１を支柱３０等に取り付けるためのブラケット２３が設けられている。筐体６は、ブラケット２３に対して所定角度で揺動自在であるとともに、使用時には所定位置において、例えばねじ止めなどでブラケット２３に固定可能となっている。なお、同図（Ｃ）は、照明装置１の使用時（図６（Ａ）参照）と同様に、筐体６をブラケット２３に対して所定角度（例えば、ブラケット２３の延在方向に対して垂直から２０°）傾斜した状態を示している。
【００３２】
次に、図２を参照して、本実施形態の照明装置１に採用されるレンズ１０について説明する。
【００３３】
レンズ１０は、光源２からの光の入射側となる入射面１１と、この入射面１１に入射された光の出射側となる出射面１２とを有する光学レンズである。レンズ１０は、アクリル樹脂、ポリカーボネート樹脂又はガラス等、透光性に優れた材料から形成される。
【００３４】
レンズ１０の入射面１１（および出射面１２）を正面から見た場合の平面視（図２（Ａ））おけるレンズ１０の外形状は、直交する２つの中心線ＬＣ，ＳＣの長さが異なる略楕円形状であり、より詳細には、長軸方向の中心線ＬＣに平行な対向する２つの直線端部ＳＥと、該直線端部ＳＥのそれぞれに連続して対向する２つの半円端部ＳＳとを有する略トラック形状である。
【００３５】
出射面１２は、入射面１１に入射された光を拡散して出射できるように、光の出射方向に突出する凸曲面１３と、凸曲面の外周に設けられた鍔部１７（出射側鍔部１７Ｓ）を有する。また、凸曲面１３の外周は、出射側鍔部１７Ｓから立ち上がった側面１４に連続している。
【００３６】
入射面１１は、レンズ１０の長軸方向の両端に設けられた島状部１５と、島状部１５の間に設けられて該島状部１５よりも出射面１２方向に掘り込まれた窪み部１６と、島状部１５および窪み部１６の外周に設けられた鍔部１７（入射側鍔部１７Ｒ）とを有する。
【００３７】
２つの島状部１５は、それぞれ入射側鍔部１７から光源ユニット５方向に向かって段状に突出した平坦面により構成され、互いに対向する端辺において窪み部１６に連続する。
【００３８】
図３から図５を参照して、本実施形態の島状部１５および窪み部１６について更に説明する。
【００３９】
図３は、窪み部１６の形状を強調して示す外観斜視図であり、同図（Ａ）が出射面１１側から見た窪み部１６の透視図であり、同図（Ｂ）は入射面１２側から見た窪み部１６の一部透視図である。なお、同図においては湾曲形状を明示するために短軸方向の中心線および長軸方向の中心線に沿った補助線を付している。
【００４０】
図４は、レンズ１０およびその長軸方向に沿う断面を示す図であり、同図（Ａ）が図２（Ａ）を裏面側から見た図（入射面１１側から見た正面図）であり、同図（Ｂ）が同図（Ａ）のａ−ａ線の断面図、同図（Ｃ）が同図（Ａ）のｂ−ｂ線の断面図、同図（Ｄ）が同図（Ａ）のｃ−ｃ線（長軸方向の中心線ＬＣ）の断面図、同図（Ｅ）が同図（Ａ）のｄ−ｄ線の断面図、同図（Ｆ）が同図（Ａ）のｅ−ｅ線の断面図である。
【００４１】
図５は、レンズ１０およびその短軸方向に沿う断面を示す図であり、同図（Ａ）が図２（Ａ）を裏面側から見た図（入射面１１側から見た正面図）であり、同図（Ｂ）が同図（Ａ）のｆ−ｆ線の断面図、同図（Ｃ）が同図（Ａ）のｇ−ｇ線の断面図、同図（Ｄ）が同図（Ａ）のｈ−ｈ線（短軸方向の中心線ＳＣ）の断面図、同図（Ｅ）が同図（Ａ）のｉ−ｉ線の断面図、同図（Ｆ）が同図（Ａ）のｊ−ｊ線の断面図である。
【００４２】
図３を参照して、まず、長軸方向の両端に対向して配置される２つの島状部１５は、長軸方向および短軸方向のいずれにおいても中央付近で最も近接し、周辺に向かって漸次離間するように形成されている。また、入射面１１側の平面視（図４（Ａ）参照）におけるそれぞれの島状部１５の形状は、長軸方向の中心線ＬＣから、使用時に下方となる直線端部ＳＥ（ＳＥ２、図１参照）よりにずれた位置に一つの頂点ＭＰを有する略山形状である（図３（Ｂ），図４（Ａ））。
【００４３】
窪み部１６は、レンズ１０の長軸方向に沿う断面形状においては入射面１１から陥没する凹曲面１６Ａを有し、短軸方向に沿う断面形状においては入射面１１側に突出する凸曲面１６Ｂを有するように構成されている。
【００４４】
さらに、窪み部１６は、短軸方向の中心線ＳＣに対して対称（線対称）な形状である一方、長軸方向の中心線ＬＣに対して非対称な形状を有するように形成されている。具体的には、窪み部１６の形状は、短軸方向の一端側が他端側よりも幅広に構成され、また、短軸方向における一端側が入射側鍔部１７Ｒよりも出射面１２方向に掘り込まれ、短軸方向における他端側が入射側鍔部１７Ｒよりも突出するように形成されている。
【００４５】
より詳細には、図４（Ａ）に示すように、レンズ１０の使用時に上方（前方、路面中央より）となる一方の直線端部ＳＥ（ＳＥ１）が、レンズ１０の使用時に下方（後方、路面端部より）となる他方の直線端部ＳＥ（ＳＥ２）よりも幅広に構成されている。また、図３（Ｂ）、図５（Ｃ）〜（Ｄ）に示すように、上方となる直線端部ＳＥ１が入射側鍔部１７よりも出射面１２方向に掘り込まれ、下方となる直線端部ＳＥ２が入射側鍔部１７よりも突出するように形成されている。なお、入射側鍔部１７Ｒの水平方向の高さは、直線端部ＳＥ１と直線端部ＳＥ２において同等である。
【００４６】
図４および図５を参照して、２つの島状部１５は、入射面１１において水平方向において同じ高さの平坦面であり、互いに対向する端部から窪み部１６に連続する。
【００４７】
窪み部１６は、図４に示すように長軸方向に沿う断面においては、短軸方向の中心線ＳＣに対して線対称な曲面形状（入射面１１から陥没する凹曲面１６Ａを有する形状）であり、レンズ１０の使用時に上方となる直線端部ＳＥ１から長軸方向の中心線ＬＣに向かって漸次、曲率が小さくなり、且つ掘り込みの深さが浅く（レンズ１０の厚みが厚く）なる。長軸方向の中心において最も曲率が小さく、且つ掘り込みの深さが浅く（レンズ１０の厚みが厚く）なり、そこからレンズ１０の使用時に下方となる直線端部ＳＥ２に向かって漸次、曲率が大きく、且つ掘り込みの深さが深く（レンズ１０の厚みが薄く）なる。
【００４８】
一方、図５に示すように短軸方向の断面においては、長軸方向の中心線ＬＣに対して非対称な曲面形状（入射面１１に突出する凸曲面１６Ｂを有する形状）であり、レンズ１０の使用時に上方となる直線端部ＳＥ１は入射側鍔部１７よりも出射面１２方向に掘り込まれており、直線端部ＳＥ１から頂点ＭＰに向かって漸次、レンズ１０の厚みが厚くなる。頂点ＭＰは長軸方向の中心よりもレンズ１０の使用時に下方となる直線端部ＳＥ２側に近い位置にあり、頂点ＭＰが最もレンズ１０の厚みが厚くなり、そこから直線端部ＳＥ２に向かって漸次、レンズ１０の厚みが薄くなるが、直線端部ＳＥ２においては入射側鍔部１７よりも突出する。
【００４９】
本実施形態のレンズ１０は、このように、長軸方向の中央付近に、短軸方向の中心線ＳＣに対して対称（線対称）な形状である一方、長軸方向の中心線ＬＣに対して非対称な形状を有するように構成された窪み部１６を有している。これにより、光源（ＬＥＤ）２が本来有する配光角（配光角度）を、レンズ１０の上下方向において非対称とすることができる。具体的には、レンズ１０の下方側を狭角とし、レンズ１０の上方側を広角にすることができる。
【００５０】
そして、本実施形態のレンズ１０を取り付けることにより、照明装置１の直下方向（設置領域付近）への配光角度を狭角とし、照明装置１の設置領域より前方（道路中央方向よりの配光角度を広角にすることができる。
【００５１】
また、従来の照明装置のレンズと比較して、光束の横広がりを重視しつつも、直下照度を向上させることができ、不要な領域に漏れる光量を抑え、光を照射すべき領域に効率よく照射することができる。
【００５２】
図６および図１を参照して、本実施形態の照明装置１について更に説明する。図６（Ａ）は、照明装置１を街路灯（防犯灯）として使用する場合の側面図であり、図６（Ｂ）は、レンズ１０の入射面１１側から見た、光源２の取り付け位置を示す図であり、図６（Ｃ）は、レンズ１０を取り外した状態の光源カバー７と光源ユニット５を示す斜視図である。なお、光源２は、レンズ１０とは離間して取り付けられるものであり、同図（Ｂ）は光源２の位置をレンズ１０に投影させた概要図である。
【００５３】
図１に示すように、光源ユニット５は、基板３が照明装置１の開口部を覆うように取り付けられており、ＬＥＤ２はその中央付近（照明装置１の開口部中央付近）に位置するように基板３に実装されている。
【００５４】
そして、光源ユニット５の上方にこれと離間して光源カバー７が設けられ、光源カバー７の開口部にレンズ１０が取り付けられる。レンズ１０は、図３〜図５に示す直線端部ＳＥ１および直線端部ＳＥ２がそれぞれ、照明装置１の使用時における上方および下方となるように、取り付けられる。また、レンズ１０の窪み部１６の略中央付近に対向する位置に、ＬＥＤ２が位置する（図６（Ｂ），同図（Ｃ）参照）。
【００５５】
図６（Ａ）に示すように、照明装置（街路灯）１は、路面に設置した支柱３０にブラケット２３を固定して取り付けられる。図１に示すように、照明装置１のサイズは一例として、幅Ｗが約１４０ｍｍ〜１８０ｍｍ、高さＨ（使用時）が約１６０ｍｍ〜１８０ｍｍ、奥行きＤ（支柱３０まで）が約２９０ｍｍ〜３００ｍｍであり、重量が例えば、１．５ｋｇ〜２．５ｋｇである。
【００５６】
照明装置１は、ブラケット２３に対して所定角度で揺動自在となっているが、使用時には図６（Ａ）に示すように、照明装置１は、レンズ１０の直線端部ＳＥ１が、照明装置１の使用時における上方（前方、路面中央より）となり、直線端部ＳＥ２が、照明装置１の使用時における下方（後方、路面端部より）となるように、且つ、ＬＥＤ２の光束が路面中央方向に向かうように、その光軸（ＬＥＤ２の中心を通る回転対称軸）が支柱３０の起立方向（鉛直方向）に対して傾斜して取り付けられる。具体的には、ＬＥＤ２の照射方向が照明装置１の取り付け位置から路面の幅方向中央に向かうように、ＬＥＤ２の光軸（実線矢印で示す）と支柱３０のなす角が所定の角度αとなるように取り付けられる。ＬＥＤ２の光軸と、支柱３０の起立方向（鉛直方向）なす角度αは、一例として３０°〜６０°（好適には、２０°）であるが、使用場所や使用目的に応じて適宜選択可能である。
【００５７】
この場合、レンズ１０の状態は、窪み部１６の短軸方向における幅広の端部（直線端部ＳＥ１側）が、支柱３０から離れた上前方（上方、前方）にあり、窪み部１６の短軸方向における幅狭の端部（直線端部ＳＥ２側）が、幅広の端部よりも支柱３０に近い、下後方（下方、後方）となっている。
【００５８】
これにより、照明装置１の配光は、同図において一点鎖線で示すように、照明装置１の直下方向（設置領域付近）への配光角度が狭角となり、照明装置１の設置領域より前方（路面中央方向よりの配光角度が広角となる。
【００５９】
すなわち、本実施形態の照明装置１によれば、最小限の光源（照明装置１に対して１つのＬＥＤ２）でありながら、街路灯での照明が想定されている領域（例えば、路面（歩道）の中央付近など）を十分に照らすことができる。なお、照明装置１の取り付け角度を、街路灯での照明が想定されている領域が十分に照らすことができる角度に設定するのはもちろんのことである。
【００６０】
また、照明装置１は、図６（Ａ）に示すように、筐体６の内部に、受放熱部材２０が設けられている。受放熱部材２０は、帯状であり、長手方向の一端が光源ユニット５の裏面側に接触（密着）するとともに、筐体６の、使用時に上方となる内部側壁（配線２１を導出する配線口２２に対向する側の内部側壁）に接触（密着）させながら筐体６の底部まで延在するように、取り付けられる。
【００６１】
図示は省略するが、受放熱部材２０は、高効率熱伝導体であり、光源ユニット５（ＬＥＤ２と駆動電源４など）の発する熱を受け（受熱し）、拡散させて、空気中に放出する（放熱する）ためのものである。
【００６２】
具体的には、受放熱部材２０は、いずれも帯状の柔軟性を有する２つの膨張黒鉛層を備えると共に、金属からなる金属層を２つの膨張黒鉛層の間に備えている。すなわち、受放熱部材２０は、膨張黒鉛層を最表層に有する帯状の３層構造に構成されている。受放熱部材２０は、柔軟性を有する膨張黒鉛層を最表層に設けることで、受放熱部材２０を他の部材（この例では、光源ユニット５および筐体６内部）と容易に密着させることが可能となる。この結果、光源ユニット５から受放熱部材２０への効率的な伝熱が可能となる。
【００６３】
受放熱部材２０は、光源ユニット５から受けた熱を赤外線に変換し、輻射熱で筐体６の上方となる内部側壁に熱転写する。これにより、照明装置１に積雪があった場合でも、受放熱部材２０によって融雪することができる。
【００６４】
降雪が多い場合、照明装置１（筐体６）の上面の積雪が多くなり、ブラケット２３部分に意図しない荷重が係り、ブラケット２３と照明装置１の固定状態、あるいは、ブラケット２３と支柱３０の固定状態が劣化する問題がある。本実施形態によれば、受放熱部材２０によって照明装置１の上部の積雪を溶かすことができるため、意図しない荷重が係る恐れを回避することができる。
【００６５】
なお、照明装置１に降雪を検知するセンサ等を設け、降雪を検知したら照明装置１を点灯するように設定するとよい。積雪によって光の照射が遮られる場合も多いため、昼間であっても路面の視認性が悪くなる。降雪を検知して照明装置１を点灯させることにより、昼間であっても視認性が悪くなった路面を照らすことができる。また、照明装置１上の積雪がわずかなうちから、融雪機能を作動させることができ、より融雪を促進することができる。
【００６６】
なお、照明装置１を支柱３０に取り付けず、柵、壁面、天面（天井）などの他の構造物に取り付けても良い。
【００６７】
また、上記の実施形態では照明装置１を街路灯（防犯灯）に使用する場合を例に説明したが、街路灯以外の屋外用照明または屋内用照明に利用してもよい。
【００６８】
＜実施例＞
【００６９】
図７から図９を参照して、本実施形態の照明装置１の照度の分析結果を説明する。
【００７０】
図７は、本実施形態の照明装置１における照度分布シミュレーションの結果である。なお、同図に示すシミュレーションでは、照明装置１を、そのＬＥＤ２の光軸が鉛直方向となるように配置し、ＬＥＤ２の鉛直方向の４．５ｍ下方の照度を測定している。
【００７１】
同図（Ａ）はレンズ１０を通過したＬＥＤ２の光の出射方向を示す図であり、同図下方がレンズ１０の入射面１１側であり、同図（Ａ）上方がレンズ１０の出射面１２側である。
【００７２】
また、同図（Ｂ）は、ＬＥＤ２の光軸に垂直な面における照度分布図であり、Ｙ軸がレンズ１０の短軸方向の中心線ＳＣに平行な方向（路面に設置する場合の路面幅方向）の長さ（ｍｍ）であり、Ｘ軸が長軸方向の中心線ＬＣに沿う方向（路面に設置した場合の路面長さ方向）の長さ（ｍｍ）である。また、同図（Ｃ）は、同図（Ｂ）のＹ軸方向における長さ（ｍｍ）と照度（Ｌｕｘ）の関係をプロットした照度分布グラフであり、同図（Ｄ）は、同図（Ｂ）のＸ軸方向における長さ（ｍｍ）と照度（Ｌｕｘ）の測定値の関係をプロットした照度分布グラフである。
【００７３】
この結果より、ＬＥＤ２の４．５ｍ下方においては、レンズ１０の中心位置を中心としてＹ軸方向（路面方向）に１．５ｍ、Ｘ軸方向（路面長さ方向）に７．６ｍの範囲において１０ルクス以上の照度が確保でき（同図（Ｂ）〜同図（Ｄ））、直下照度で１２ルクスの照度が確保できることが分かった。
【００７４】
すなわち、本実施形態のレンズ１０を用いた照明装置１によれば、光束の横広がりを重視しつつも、直下照度を向上させることができ、不要な領域に漏れる光量を抑え、光を照射すべき領域に効率よく照射することができる。
【００７５】
図８は、本実施形態の照明装置１の使用状態における照度分布を示す図であり、同図（Ａ）が、光源２に、出力：９．６Ｗ、演色性：Ｒａ８０、全光束：１０８０Ｌｍ、色温度：５００Ｋ±３００Ｋ（白色）のＬＥＤを用いた場合の照度分布であり、同図（Ｂ）が光源２に、出力：１８．９Ｗ、演色性：Ｒａ８０、全光束：１４２０Ｌｍ、色温度：５００Ｋ±３００Ｋ（白色）のＬＥＤを用いた場合の照度分布である。また、この場合の照明装置１は、図６（Ａ）に示すように、ＬＥＤ２の光軸と支柱３０の起立方向（鉛直方向）なす角度αが２０度となるように傾斜させ、路面から４．５ｍの高さに設置されている。
【００７６】
行方向の０ｍ地点、１ｍ地点、２ｍ地点、３ｍ地点、４ｍ地点および５ｍ地点はそれぞれ、照明装置１（ＬＥＤ２）の設置位置（０ｍ地点）から、路面等の幅方向中央に向かう距離であり、列方向の０ｍ地点、１ｍ地点、２ｍ地点、３ｍ地点はそれぞれ、照明装置１の設置位置（０ｍ地点）から、路面等の長さ（通行する方向）に延びる距離である。
【００７７】
この実験例では、防犯灯として、ＪＩＳおよび公益社団法人防犯設備協会で推奨されている防犯照明としてのクラス（クラスＡ，Ｂ，Ｂ＋）のうち、「クラスＢ＋」を満たす位置において、同図（Ａ）の場合に１７．８ルクス、同図（Ｂ）の場合に２２．８ルクス確保できることが確認された。「クラスＢ＋」とは、路面上の水平面の平均照度（ＪＩＳ  Ｃ  ７６１２：１９８５「照度測定法」により算出した平均照度）が３ルクス（水平面照度（平均値）３ルクス）、道路中心線上で路面からの高さが１．５ｍ、路面軸に対して直角な鉛直面の地点においての最小照度が０．５ルクス（鉛直面照度（最小値）０．５ルクス）を確保できる照度（以上、クラスＢの照度）に加え、道路両端から０．５ｍ内側（両端）において、路面からの高さが１．５ｍの地点の鉛直面照度(最小値)を０．５ルクス以上に確保する照度である
【００７８】
図９は、既存の、ＬＥＤを光源とする既存の街路灯Ａ，Ｂと、本実施形態の照明装置１（街路灯）との比較実験の結果を示す図であり、同図（Ａ）が測定位置の概要図であり、同図（Ｂ）が測定結果である。
【００７９】
同図（Ａ）に示すように、比較例（街路灯Ａ，Ｂ）と本実施形態の照明装置１を図示の「ＬＥＤ照明」の位置に配置し、それぞれについて、４．５ｍ直下照度（「ＬＥＤ照明」の前面から光軸上の前方４．５ｍの測定における照度）と、上記の防犯照明としてのクラスのうち「クラスＢ」の照度について、測定した。なお、同図（Ａ）に示す「ＬＥＤ照明」の床面からの高さは、照射する光が床面で反射しない程度の高さに設定されている。
【００８０】
測定項目は、同図（Ｂ）に示すように、消費電力、全光束、色温度、力率、発光効率、４．５ｍ直下照度、クラスＢ  水平（水平面照度３ルクス）、クラスＢ  鉛直（鉛直面照度０．５ルクス）である。また、最上段の「基準」は、出願人在住の自治体における基準値である。
【００８１】
この結果、本実施形態の照明装置１は、全光束、力率、発光効率のいずれにおいても、比較例（街路灯Ａ，Ｂ）を上回った。また、本実施形態の照明装置１では、４．５ｍ直下照度、水平面照度３ルクス、鉛直面照度０．５ルクスのいずれにおいても、比較例（街路灯Ａ，Ｂ）を大きく上回り、明るく感じることが明らかとなった。
【符号の説明】
【００８２】
１    照明装置
２    光源
３    基板
４    駆動電源
５    光源ユニット
６    筐体
７    光源カバー
８    保護カバー
１０    レンズ
１１    入射面
１２    出射面
１３    凸曲面
１４    鍔部
１５    島状部
１６    窪み部
１７    鍔部
２０    受放熱部材
２１    配線
２２    配線口
２３    ブラケット
３０    支柱
ＳＥ    直先端部
ＳＥ、ＳＥ１、ＳＥ２    直線端部
ＳＳ    半円端部
【図１】
0003211049.tif 000003
【図２】
0003211049.tif 000004
【図３】
0003211049.tif 000005
【図４】
0003211049.tif 000006
【図５】
0003211049.tif 000007
【図６】
0003211049.tif 000008
【図７】
0003211049.tif 000009
【図８】
0003211049.tif 000010
【図９】
0003211049.tif 000011